(57)【要約】【課題】  本発明は、電力会社が遠隔から家庭用空気調和機を制御することにより効果的に消費電力を削減し、発電所の過負荷による地域的停電事故を防止することを目的とするものである。【解決手段】  電力供給源である電力会社１８から空気調和機の消費電力の抑制要求する電力制御信号を受信したときに、運転状態検出装置２６より検出された前記空気調和機の運転状態情報に応じて運転制御設定値演算装置１４が演算した運転制御設定値を、前記空気調和機の運転を強制停止する運転制御信号として前記空気調和機に出力する運転制御信号出力装置１５を設けたものである。【選択図】  図１ 
2005090787.tif 000002
【特許請求の範囲】
【請求項１】
空気調和機と、前記空気調和機の運転状態を検出する運転状態検出装置と電力供給源である電力会社から電力負荷のピ−ク時などに出力される電力制御信号を受信する電力制御信号受信装置と、前記運転状態検出装置より検出された前記空気調和機の運転状態情報及び前記電力制御信号受信装置が受信した前記電力制御信号により、前記空気調和機に対する運転制御設定値を演算する運転制御設定値演算装置と、前記運転制御設定値演算装置により演算された前記運転制御設定値を運転制御信号として前記空気調和機に対して出力する運転制御信号出力装置を具備し、前記電力制御信号受信装置が空気調和機の消費電力の抑制要求する電力制御信号を受信したときに、前記運転状態検出装置より検出された前記空気調和機の運転状態情報に応じて前記運転制御設定値演算装置が演算した運転制御設定値を、前記空気調和機の運転を強制停止する運転制御信号として前記運転制御信号出力装置から前記空気調和機に出力することを特徴とした空気調和機の制御装置。
【請求項２】
電力制御信号受信装置が空気調和機の消費電力の抑制要求を解除する電力制御信号を受信するまで、運転状態検出装置より検出された前記空気調和機の運転状態情報に応じて運転制御設定値演算装置が演算した運転制御設定値を、前記空気調和機の運転を強制停止する運転制御信号として運転制御信号出力装置から前記空気調和機に出力することを特徴とした請求項１記載の空気調和機の制御装置。
【請求項３】
電力制御信号受信装置が空気調和機の消費電力の抑制要求する電力制御信号を受信した時に、運転状態検出装置より検出された前記空気調和機の運転状態情報を記憶する前記空気調和機の運転状態情報記憶装置を具備した空気調和機の制御装置において、前記電力制御信号受信装置が空気調和機の消費電力の抑制要求を解除する電力制御信号を受信した時に、前記運転状態情報記憶装置に記憶された前記空気調和機の運転状態情報に基づいて、運転制御設定値演算装置が演算した運転制御設定値を、前記電力制御信号受信装置が空気調和機の消費電力の抑制要求する前記電力制御信号を受信する直前の前記空気調和機の運転状態に戻す運転制御信号として運転制御信号出力装置から前記空気調和機に出力することを特徴とした請求項１記載の空気調和機の制御装置。
【請求項４】
空気調和機の運転状態を検出する運転状態検出装置と運転制御信号出力装置を前記空気調和機のＨＡ端子（ＪＥＭＡ）に対応したＨＡインターフェースユニットで構成したことを特徴とする請求項１乃至３記載の空気調和機の制御装置。
【請求項５】
電力供給源である電力会社から出力される電力制御信号に、情報発信者を識別する情報を付加し、電力制御信号受信装置には、情報発信者識別装置を具備し、前記電力制御信号の情報発信者を識別する情報と前記情報発信者識別装置に登録されている情報発信者の情報が合致した場合に、前記空気調和機の電力制御を行うための信号を運転制御設定値演算装置へ伝達し、電力供給源である電力会社から出力される電力制御信号に基づいて、前記運転制御設定値演算装置が演算した運転制御設定値を、前記空気調和機の運転制御信号として運転制御信号出力装置から前記空気調和機に出力することを特徴とした請求項１乃至４記載の空気調和機の制御装置。
【請求項６】
電力供給源である電力会社から出力される電力制御信号を受信する電力制御信号受信装置を無線呼出し装置としたことを特徴とする請求項１乃至５記載の空気調和機の制御装置。
【請求項７】
電力供給源である電力会社から電力負荷のピ−ク時などに出力される電力制御信号を各需要家の空気調和機の制御装置に出力すると同時に、需要家が希望するｅメールアドレス先に前記需要家の所有する空気調和機に対して電力制御を行ったことを伝えることを特徴とする空気調和機の制御方法。
【請求項８】
無線呼出し装置を具備する空気調和機の制御装置と電力供給源である電力会社との間の通信ネットワークに存在する無線呼出専用中央制御局に設けられたサーバーに対して、需要家本人がインターネットを介して前記需要家宅の空気調和機の運転制御を行う信号を送信することにより前記空気調和機の遠隔操作を行うことを特徴とする空気調和機の制御方法。
【発明の詳細な説明】
【技術分野】
【０００１】
本発明は、電力需要の増加に伴う電力負荷のピ−クをカットし、電力負荷の平準化を目的とした空気調和機の制御装置に関するものである。本発明は、さらに、既設の一般家庭用の空気調和機において、電力会社からのデマンド要求情報に応じたデマンド（電力負荷）制御を最優先に実施する空気調和機のデマンド制御装置および制御方法に関するものである。
【背景技術】
【０００２】
近年の電力事情として、夏期の酷暑時における使用電力量が大きく上昇して供給限界に迫ることが問題となっている。この原因の一つは家庭やオフィス、工場における空気調和機の使用によるものであることが知られているため、使用電力量の上昇に応じて空気調和機の消費電力を抑制するデマンド制御の要求が高まりつつある。さらに最近では、電気による暖房手段に依存する傾向の高まりから冬期のデマンド制御の必要性も話題にされている。空気調和機のデマンド制御を行う方法としては、日本工業会規格のＨＡ端子（ＪＥＭ−Ａ）を利用する方法が簡便である。外部からのデマンド制御指令に応じてＯＮ／ＯＦＦ制御を行うことはＨＡ端子を備えた空気調和機に対しては比較的簡単に行うことが可能である。
【０００３】
加えて、近年、一般家庭用の空気調和機は安全にクリーンで年間を通して使用できる冷暖房器具として著しく普及し、これに伴って、夏期を問わず冬期の電力消費量も著しく伸びてきている。これに伴い電力需要の平準化や電力ピークカットが現実的な社会問題となってきている。
【０００４】
特に、電力ピークカットに関しては、各家庭の電力消費量を少しずつ抑制することで実現でき、また、発電所の過負荷による地域的停電事故を防止することができるため、一般家庭において消費電力の大きい空気調和機に対するデマンド制御の機運が高まっている。一般家庭における空気調和機のデマンド制御を効率的に行うためには、デマンド制御のキャンセル率を引き下げることがもっとも重要課題である。
【０００５】
従来、複数台の空気調和機に対するデマンド制御装置は、図１０に示すように、冷房時に空気調和機の電力量が上限の規定値を越えると、運転中の空気調和機の設定温度（ｔ０時の設定）を１度上げ、一定時間経過後、電力量が上限の規定値以下とならない場合は、さらに設定温度を１度上げる制御を繰り返す（ｔ２，ｔ３時の設定）ことにより室内温度と設定温度の差を小さくして、室内コントロ−ル機能により圧縮機のＯＮ−ＯＦＦ運転を繰り返していた（例えば、特許文献１参照）。
【０００６】
また、従来、図１１に示すように、快適性を損なわずに、空気調和機のデマンド制御システムにより電力負荷平準化の手法について説明されている。空気調和機１０、リモコン等の運転設定値出力装置１１、室内環境検出装置１２、電力制御信号受信装置１３、運転制御設定値演算装置１４及び運転制御信号出力装置１５が設けられており、空気調和機１０を除き各装置はツイストペア線等で構成される通信線１６を介して接続されている。また、伝送線１７は電灯線或いは光ファイバケ−ブル等で構成され、電力制御信号受信装置１３と電力供給源である電力会社１８とを接続している。
【０００７】
例えば夏場などの消費電力がピ−クを迎える時期などに、電力会社等の電力供給源１８において電力負荷がピ−クに達すると消費電力抑制を図る電力制御信号が伝送線１７を介して電力制御信号受信装置１３に受信される。室内環境検出装置１２より検出される室内
の人の在・不在或いは人数等の室内環境情報及び電力制御信号受信装置１３が受信した電力制御信号より、運転制御設定値演算装置１４において空気調和機１０に対する運転・停止設定、温度設定或いは風量設定等の運転制御設定値が演算される。演算された運転制御設定値は運転制御信号出力装置１５より運転制御信号として運転設定値出力装置１１が出力する赤外線信号等の無線信号と同形式の信号が空気調和機１０に対して出力され、この運転制御信号に従い空気調和機１０は消費電力が少なくなる状態へ運転・停止設定、温度設定或いは風量設定等の運転設定を変更し、一定時間経過すると再び元の運転設定値で運転を行う。以上の制御を繰り返すことにより空気調和機１０の消費電力が抑制される。消費電力の抑制量は運転設定値の変更内容、運転設定を変更し省電力制御を行う時間、或いは省電力制御を行う回数等を変化させることにより調整される。これらの制御が各空気調和機に対して電力負荷のピ−クが過ぎるまで行われ、結果として電力負荷が平準化されていた（例えば、特許文献２参照）。
【特許文献１】特開平１−１１４６５４号公報
【特許文献２】特開平１０−３０８３４号公報
【発明の開示】
【発明が解決しようとする課題】
【０００８】
しかしながら、上記従来の構成では、電力供給源である電力会社からの電力制御信号に対し、室内空間の快適性を維持するため、人の在・不在或いは人数等の室内環境情報をもとに空気調和機の消費電力が少なくなる状態へ運転・停止設定、温度設定或いは風量設定等の運転設定を変更し、一定時間経過すると再び元の運転設定値で運転を行って空気調和機の消費電力を抑制する。これによると空気調和機の運転変化に伴い消費電力の増減が発生し、電力供給源である電力会社にとっては、電力ピークカット予測が困難となるとともに、有効なピークカットを実現できないという課題を有していた。
【０００９】
また、この種のデマンド制御装置においては、電力供給源である電力会社からの電力制御信号に対し、需要家は、運転設定値出力装置である手元リモコン操作により、電力ピークカットを行うための空気調和機の電力制御が容易にキャンセルされるという課題も有していた。
【００１０】
本発明は上記課題を解決するもので、既存の空気調和機本体の改造を行うことなく、簡便な方法で電力負荷ピ−ク時における電力負荷の平準化を確実に行うことを目的とするものである。
【００１１】
本発明はまた、既設の一般家庭用の空気調和機において、比較的簡便な方法で、空気調和機の遠隔制御方法を提供することを別の目的とするものである。
【課題を解決するための手段】
【００１２】
前記従来の課題を解決するために、本発明の空気調和機の制御装置は、空気調和機と、前記空気調和機の運転状態を検出する運転状態検出装置と電力供給源である電力会社から電力負荷のピ−ク時などに出力される電力制御信号を受信する電力制御信号受信装置と、前記運転状態検出装置より検出された前記空気調和機の運転状態情報及び前記電力制御信号受信装置が受信した前記電力制御信号により、前記空気調和機に対する運転制御設定値を演算する運転制御設定値演算装置と、前記運転制御設定値演算装置により演算された前記運転制御設定値を運転制御信号として前記空気調和機に対して出力する運転制御信号出力装置を具備し、前記電力制御信号受信装置が空気調和機の消費電力の抑制要求する電力制御信号を受信したときに、前記運転状態検出装置より検出された前記空気調和機の運転状態情報に応じて前記運転制御設定値演算装置が演算した運転制御設定値を、前記空気調
和機の運転を強制停止する運転制御信号として前記運転制御信号出力装置から前記空気調和機に出力することにより前記空気調和機を強制停止するものである。これにより、電力供給源である電力会社が管轄する広域に点在する複数の空気調和機の電力制御を行うことが可能となり、前記複数の空気調和機を一斉に停止することができ、電力負荷のピーク時に、電力会社にとっては、効率的な電力ピークカットを実現することができる。
【発明の効果】
【００１３】
本発明の空気調和機の制御装置は、電力供給源である電力会社から電力負荷のピ−ク時などに出力される電力制御信号に応じて、運転状態検出装置より検出された空気調和機の運転状態情報に応じて前記運転制御設定値演算装置が演算した運転制御設定値を空気調和機の運転を強制停止する運転制御信号として運転制御信号出力装置から空気調和機に出力するもので、この構成によれば、電力供給源である電力会社が管轄する地域に点在する複数の空気調和機の電力制御を行うことが可能となり、複数の空気調和機を一斉に停止することができる。電力会社にとっては効率的で確実な電力ピークカットを実現することができ、発電所の過負荷による地域的停電事故を防止することが可能となる。
【００１４】
また、本発明は、空気調和機の運転状態を検出する運転状態検出装置と運転制御信号出力装置を前記空気調和機のＨＡ端子（ＪＥＭＡ）に対応したＨＡインターフェースユニットで構成するもので、この構成によれば、この実施の形態によれば、比較的安価に、しかも電力供給源である電力会社が管轄する地域に広く点在するほとんどの空気調和機に対する電力制御が展開できるという効果を奏する。
【００１５】
さらに、本発明は、電力供給源である電力会社から出力される電力制御信号に、情報発信者を識別する情報を付加するもので、この構成によると、需要家の空気調和機を制御する権限のない人たちからの不正な操作をうけることを防止することができる。
【００１６】
さらに、本発明は、空気調和機の制御装置の電力制御信号受信装置を無線呼出し装置としたもので、この構成によると無線呼出局を中心とするサービスエリアと対応電力制御地域毎に空気調和機の輪番電力制御も実現できる。加えて、室外温度によって地域毎の空気調和機の電力制御を実施することもできる。
【００１７】
最後に、本発明は、空気調和機の制御装置と電力会社とを結ぶネットワークにインタネット網を組み入れたもので、この構成によると電力会社から空気調和機の電力制御対象需要家への直接通知や需要家本人による空気調和機の遠隔操作が可能になる。
【発明を実施するための最良の形態】
【００１８】
本発明の空気調和機の制御装置は、空気調和機と、前記空気調和機の運転状態を検出する運転状態検出装置と電力供給源である電力会社から電力負荷のピ−ク時などに出力される電力制御信号を受信する電力制御信号受信装置と、前記運転状態検出装置より検出された前記空気調和機の運転状態情報及び前記電力制御信号受信装置が受信した前記電力制御信号により、前記空気調和機に対する運転制御設定値を演算する運転制御設定値演算装置と、前記運転制御設定値演算装置により演算された前記運転制御設定値を運転制御信号として前記空気調和機に対して出力する運転制御信号出力装置を具備し、前記電力制御信号受信装置が空気調和機の消費電力の抑制要求する電力制御信号を受信したときに、前記運転状態検出装置より検出された前記空気調和機の運転状態情報に応じて前記運転制御設定値演算装置が演算した運転制御設定値を、前記空気調和機の運転を強制停止する運転制御信号として前記運転制御信号出力装置から前記空気調和機に出力することにより前記空気調和機を強制停止するものである。これにより、電力供給源である電力会社が管轄する広域に点在する複数の空気調和機の電力制御を行うことが可能となり、前記複数の空気調和機を一斉に停止することができ、電力負荷のピーク時に、電力会社にとっては、効率的な
電力ピークカットを実現することができる。
【００１９】
また、電力制御信号受信装置が空気調和機の消費電力の抑制要求を解除する電力制御信号を受信するまで、運転状態検出装置より検出された前記空気調和機の運転状態情報に応じて運転制御設定値演算装置が演算した運転制御設定値を、前記空気調和機の運転を強制停止する運転制御信号として運転制御信号出力装置から前記空気調和機に出力するものである。これにより、電力供給源である電力会社は、電力ピークカット時間帯において、需要家による空気調和機の運転制御を抑止できる。すなわち空気調和機の電力制御キャンセルが実施されることなく、効率的で安定した電力ピークカットを実現することができる。
【００２０】
さらに、電力制御信号受信装置が空気調和機の消費電力の抑制要求を解除する電力制御信号を受信した時に、運転状態情報記憶装置に記憶された前記空気調和機の運転状態情報に基づいて、運転制御設定値演算装置が演算した運転制御設定値を、前記電力制御信号受信装置が空気調和機の消費電力の抑制要求する前記電力制御信号を受信する直前の前記空気調和機の運転状態に戻す運転制御信号として運転制御信号出力装置から前記空気調和機に出力するものである。これにより電力供給源である電力会社による電力ピークカットが終了した後、電力供給源である電力会社が管轄する広域に点在する複数の空気調和機を電力ピークカット直前の運転状態で再開することができる。
【００２１】
本発明の別の形態は、空気調和機の運転状態を検出する運転状態検出装置と運転制御信号出力装置を前記空気調和機のＨＡ端子（ＪＥＭＡ）に対応したＨＡインターフェースユニットで構成するものである。国内の一般家庭用空気調和機には、ＨＡ端子が具備されており、これにより比較的安価に、しかも電力供給源である電力会社が管轄する広域に点在するほとんどの空気調和機に対して電力制御が展開できる。
【００２２】
本発明の別の形態では、電力供給源である電力会社から出力される電力制御信号に、情報発信者を識別する情報を付加し、電力制御信号受信装置には、情報発信者識別装置を具備し、前記電力制御信号の情報発信者を識別する情報と前記情報発信者識別装置に登録されている情報発信者の情報が合致した場合に、前記空気調和機の電力制御を行うための信号を運転制御設定値演算装置へ伝達し、電力供給源である電力会社から出力される電力制御信号に基づいて、前記運転制御設定値演算装置が演算した運転制御設定値を、前記空気調和機の運転制御信号として運転制御信号出力装置から前記空気調和機に出力するものである。これにより、前記空気調和機の制御装置に対して、発信者不明の電力制御信号の情報を排除することができ、電力会社によるセキュリティの高い空気調和機の電力制御システムが形成できる。
【００２３】
また、本発明の別の形態は、電力供給源である電力会社から出力される電力制御信号を受信する電力制御信号受信装置として無線呼出し装置を用いたものである。これにより、前記空気調和機の制御装置をツイストペア線や光ファイバケ−ブル等の有線により通信ネットワークと接続しなければならないという手間が省ける。
【００２４】
さらに、本発明の別の形態は、電力供給源である電力会社から電力負荷のピ−ク時などに出力される電力制御信号を各需要家の空気調和機の制御装置に出力すると同時に、需要家が希望するｅメールアドレス先に前記需要家の所有する空気調和機に対して電力制御を行ったことを伝えるものである。これにより、電力供給源である電力会社は、需要家に対して、電力ピークカットを開始したこと及び終了したことを直接伝えることができる。
【００２５】
最後に、本発明の別の形態は、無線呼出し装置を具備する空気調和機の制御装置と電力供給源である電力会社との間の通信ネットワークに存在する無線呼出専用中央制御局に設けられたサーバーに対して、需要家本人がインターネットを介して前記需要家宅の空気調
和機の運転制御を行う信号を送信することにより前記空気調和機の遠隔操作を行うものである。これにより、需要家は、電話機のみならず、インターネットを介して、需要家宅の空気調和機の遠隔操作が行うことができる。
【００２６】
以下、本発明の実施の形態について、図面を参照して説明する。
【００２７】
（実施の形態１）
図１において、１は空気調和機の制御装置であり、１０は空気調和機、１１はリモコン等の運転設定値出力装置である。空気調和機の制御装置１は、電力制御信号受信装置１３、運転制御設定値演算装置１４、運転制御信号出力装置１５と運転状態検出装置２６から構成される。電力供給源である電力会社１８は、ネットワーク１７を通じて管轄地域内に点在する空気調和機の複数の制御装置１に具備される電力制御信号受信装置１３に接続されている。ネットワーク１７の信号伝達媒体は、電話回線，光ファイバーケーブルなどの有線や携帯電話などの無線電波等を問わない。
【００２８】
空気調和機１０の運転状態検出装置２６は、ＨＡ端子（ＪＥＭＡ）の出力でも、空気調和機１０の圧縮機を駆動する電流を検出する電流センサなどでも問題はなく、空気調和機１０の運転状態が把握できればよい。
【００２９】
図２は、本実施の形態である空気調和機の制御装置において、電力制御信号受信装置１３が空気調和機１０の消費電力の抑制要求する電力制御信号を受信したときに（１０１）、運転状態検出装置２６により空気調和機１０が運転状態の場合、運転制御設定値演算装置１４は、空気調和機１０の運転を強制停止する（１０２）と判断して、運転制御信号出力装置１５から空気調和機１０を停止する命令を出力する（１０３）の流れ図である。演算された運転制御設定値は運転制御信号出力装置１５より運転制御信号として運転設定値出力装置１１が出力する赤外線信号等の無線信号と同形式の信号を空気調和機１０に対して出力してもよいが、温度設定の変更や風量の変更を行うものではなく、空気調和機１０を完全停止するものでなければならない。
【００３０】
上記空気調和機の消費電力の抑制要求する電力制御信号を受信したときに、空気調和機の運転を強制停止する電力負荷制御において、電力供給源である電力会社が管轄する地域に点在する複数の空気調和機の電力制御を行うことが可能となり、複数の空気調和機を一斉に停止することができる。電力会社にとっては効率的で確実な電力ピークカットを実現することができ、発電所の過負荷による地域的停電事故を防止することが可能となる。
【００３１】
（実施の形態２）
空気調和機１０と空気調和機の制御装置１は、完全に独立制御されており、例えば、消費電力の抑制要求を解除する電力制御信号を受信するのを待機中の空気調和機は、リモコン等の運転設定値出力装置１１により簡単に運転を再開することができる。簡単に空気調和機の電力制御がキャンセルされてしまうと発電所の過負荷による地域的停電事故を招き得ない。
【００３２】
図３は、空気調和機の消費電力の抑制要求を解除する電力制御信号の受信待機中（２０１）において、リモコン等の運転設定値出力装置１１により空気調和機１０の運転が行われても、運転状態検出装置２６により空気調和機１０の運転状態を検出して（２０２）、運転制御設定値演算装置１４は、空気調和機１０の運転を強制停止する（１０２）と判断して、運転制御信号出力装置１５から空気調和機１０を停止する命令を出力するという一連の流れ図である。
【００３３】
そして、この実施の形態によれば、電力供給源である電力会社が管轄する地域に点在す
る複数の空気調和機を停止継続することができる。電力会社にとっては効率的で確実な電力ピークカットを実現することができ、複数の空気調和機の停止継続中に、水力発電所や火力発電所の起動あるいは、他地域からの電力融通などに要する時間を稼ぐことができる。
【００３４】
（実施の形態３）
図４において、１９は運転状態情報記憶装置であり、空気調和機の消費電力の抑制要求する電力制御信号を受信した時の運転状態検出装置２６より検出された空気調和機１０の運転状態情報を記憶している。
【００３５】
したがって、空気調和機の制御装置１は、電力制御信号受信装置１３が空気調和機の消費電力の抑制要求を解除する電力制御信号を受信した時に、運転状態情報記憶装置１９に記憶された空気調和機１０の運転状態情報に基づいて、前記運転制御設定値演算装置１４が演算した運転制御設定値を空気調和機１０の消費電力の抑制要求する電力制御信号を受信する前の空気調和機１０の運転状態に戻すことができる。
【００３６】
そして、この実施の形態によれば、電力会社が水力発電所や火力発電所の起動あるいは、他地域からの電力融通などにより地域停電の危機を脱した時に、需要家の複数の空気調和機を電力会社から復帰運転させることができ、需要家に不便さを感じさせることなく、電力ピークカットを実現することができる。
【００３７】
（実施の形態４）
図５は、空気調和機１０の運転状態を検出する運転状態検出装置２６と前記運転制御信号出力装置１５を前記空気調和機のＨＡ端子（ＪＥＭＡ）に対応したＨＡインターフェースユニット２０で構成したものである。空気調和機のメーカを問わず、一般家庭用空気調和機には、すべてＨＡ端子が具備され、標準規格として広く普及しており、空気調和機１０を運転・停止制御すること及び空気調和機の運転・停止状態を検出することが容易にできる。
【００３８】
この実施の形態によれば、比較的安価に、しかも電力供給源である電力会社が管轄する地域に広く点在するほとんどの空気調和機に対する電力制御が展開できる。
【００３９】
（実施の形態５）
図６において、２１は、電力制御信号受信装置１３に設けられた情報発信者識別装置である。電力供給源である電力会社１８から出力される電力制御信号には、情報発信者である電力会社を特定する情報が付加されている。これに対し、電力制御信号受信装置１３には、情報発信者識別装置２１が具備され、電力制御信号の情報発信者を識別する情報と情報発信者識別定装置２１に登録されている情報発信者の情報が合致した場合に、空気調和機の電力制御を行うための信号を運転制御設定値演算装置１４へ伝送する。
【００４０】
この構成によると、空気調和機の制御装置１は、ネットワーク１７の信号伝達媒体を電話回線，光ファイバーケーブルなどの有線や携帯電話などの無線電波等を問わず、電力会社以外のネットワークとつながっているため、需要家の空気調和機１０を制御する権限のない人たちからの不正な操作をうける可能性があり、情報発信者を識別・特定することにより、空気調和機の運転制御を防止することができる。
【００４１】
（実施の形態６）
図７は、電力供給源である電力会社１８から出力される電力制御信号を受信する電力制御信号受信装置１３までの経路を示したものである。前述のようにネットワーク１７の信号伝達媒体は、電話回線，光ファイバーケーブルなどの有線や携帯電話などの無線電波等
を問わないが、ここで、電力制御信号受信装置１３は、無線呼出し装置とする。電力供給源である電力会社１８から出力された情報発信者識別情報も付加されている。電力制御信号は、電話網を介して中央制御局２２送信される。中央制御局２２では呼出し番号とサービスエリアを照合して、エリア内の無線呼出局２３に呼出番号と電力制御信号を転送する。無線呼出局は選択呼出信号と電力制御信号を電波にのせて送信する。空気調和機の制御装置１の電力制御信号受信装置１３は電波に自分の呼出番号があるかどうかチェックして電力制御信号を受ける。携帯電話の場合、サービスエリアが半径３〜５ｋｍ、ＰＨＳの場合、１００〜４００ｍであり、これに比べると、無線呼出（ポケベル、クィックキャスト）の場合、無線呼出局２３のサービスエリアは１０〜１５ｋｍと広い範囲をカバーでき、さらに同報通信も可能である。
【００４２】
この構成によると、電力会社からの１回の電力通信制御信号出力で広範囲に亘る空気調和機の電力制御が行える。また、空気調和機の制御装置１の電力制御信号受信装置１３が有する呼出番号は、無線呼出局を中心とするサービスエリアと対応しており、電力会社は前記サービスエリアを１つの電力制御地域として、とらまえることができ、カリフォルニアで実施された輪番停電ではないが、地域毎の空気調和機の輪番電力制御も実現できたり、室外温度によって地域毎の空気調和機の電力制御を実施することもできる。
【００４３】
さらに、ネットワークに無線を使っていることと、電力制御受信装置１３である無線呼出装置には、呼出番号（電話番号）が既についていることにより空気調和機の制御装置設置施行時の手間を省くことができる。
【００４４】
（実施の形態７）
図８は、電力供給源である電力会社１８から電力負荷のピ−ク時などに出力される電力制御信号を各需要家の空気調和機の制御装置１に出力すると同時に、需要家が希望するｅメールアドレス先２５に需要家の所有する空気調和機１０に対して電力制御を行ったことを伝える仕組みを示したものである。ｅメールアドレス先は、インターネットに繋がり、メール機能を持つ携帯電話や固定電話、ＰＣや携帯端末など機器を問わない。
【００４５】
これによると、電力会社１８から空気調和機の電力負荷制御に対して、空気調和機の消費電力抑制制御を行ったこと、消費電力抑制制御解除を行ったことを直接、需要家に伝えることができ、電力ピークカットに対する需要家の理解・協力も得やすい。
【００４６】
（実施の形態８）
図９は、無線呼出し装置を具備する空気調和機の制御装置１と電力供給源である電力会社１８との間の通信ネットワーク１７に存在する無線呼出専用中央制御局２２に設けられたサーバーに対して、需要家本人がインターネットを介して需要家宅の空気調和機１０の運転制御を行う信号を送信することにより空気調和機の遠隔操作を行う仕組みを示したものである。一般的に無線呼出専用中央制御局は、電話網を介して送られてきたメッセージを符号化して無線呼出装置に送り出している。無線呼出制御局がインターネットを介して送られてくる既に符号化された空気調和機１０の運転制御をサーバー２７で一旦受け、さらにこの運転制御信号を電波に乗せて、空気調和機の制御装置１に送り出すことで、需要家本人による空気調和機の遠隔操作が実現できる。
【００４７】
さらに、この構成によると、中央制御局のサーバー２７で登録されているメールアドレス等しか受付けないなど、セキュリティを高めることにより、需要家の空気調和機１０を制御する権限のない人たちからの不正な操作をうけることも防止できる。電力会社から無線呼出専用中央制御局への通信に関しても、電話網を用いて送信する方法だけでなく、インターネット経由でも実施でき、電力会社の通信費も削減できる。
【００４８】
加えて、電力供給源である電力会社あるいは、ネットワーク管理会社などがホームページなどを用いて、需要家の簡単な入力操作で、空気調和機の遠隔操作を行うこともできる。
【００４９】
当然ながら、需要家本人を特定する情報が付加されている電力制御信号と情報発信者識別装置に需要家本人を識別する情報を登録することにより、電話回線を通しても空気調和機の遠隔操作を行うことができる。但し、需要家本人の空気調和機の遠隔操作よりも電力会社の電力負荷制御の方が優先される。
【産業上の利用可能性】
【００５０】
以上のように、本発明にかかる空気調和機の制御装置は、既存の空気調和機本体の改造を行うことなく、簡便な方法で電力負荷ピーク時における電力負荷の平準化を確実に行うことが可能となるので、空気調和機以外の電子機器の用途にも適用できる。
【図面の簡単な説明】
【００５１】
【図１】本発明の実施の形態１を示す空気調和機制御システムの構成図
【図２】本発明の実施の形態１を示す空気調和機の電力制御方法を示す流れ図
【図３】本発明の実施の形態２を示す空気調和機の電力制御方法を示す流れ図
【図４】本発明の実施の形態３を示す空気調和機制御システムの構成図
【図５】本発明の実施の形態４を示す空気調和機制御システムの構成図
【図６】本発明の実施の形態５を示す空気調和機制御システムの構成図
【図７】本発明の実施の形態６を示す空気調和機制御システムの構成図
【図８】本発明の実施の形態７を示す空気調和機制御システムの構成図
【図９】本発明の実施の形態８を示す空気調和機制御システムの構成図
【図１０】従来の複数台の空気調和機をデマンド制御するデマンド制御装置の概略構成図
【図１１】従来の空気調和機制御システムの構成図
【符号の説明】
【００５２】
１  空気調和機の制御装置
１０  空気調和機
１１  運転設定値出力装置
１３  電力信号受信装置
１４  運転制御設定値演算装置
１５  運転制御信号出力装置
１７  ネットワーク
１８  電力会社
１９  運転状態情報記憶装置
２０  ＨＡインターフェースユニット
２１  情報発信者識別装置
２２  中央制御局
２３  無線呼出局
２４  インターネット網
２５  インターネット接続機器
２６  運転状態検出装置
２７  サーバー
【図１】
2005090787.tif 000003
【図２】
2005090787.tif 000004
【図３】
2005090787.tif 000005
【図４】
2005090787.tif 000006
【図５】
2005090787.tif 000007
【図６】
2005090787.tif 000008
【図７】
2005090787.tif 000009
【図８】
2005090787.tif 000010
【図９】
2005090787.tif 000011
【図１０】
2005090787.tif 000012
【図１１】
2005090787.tif 000013